【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】プラスチック成形品に重量平均分子量が２００以上である重合体Ａの水溶液Ａを接触させ、前記プラスチック成形品の表面にポリマーコンプレックスの薄層Ａを形成する表面処理プラスチック成形品の製造方法であって、前記水溶液ＡのｐＨが４以下または８以上であることを特徴とする、表面処理プラスチック成形品の製造方法
【請求項２】表面にポリマーコンプレックスの薄層Ａを形成してなるプラスチック成形品に、前記水溶液Ａとは異なる、重量平均分子量が２００以上である重合体Ｂの水溶液Ｂを接触させ、前記薄層Ａの表面にポリマーコンプレックスの薄層Ｂを形成する、請求項１に記載の表面処理プラスチック成形品の製造方法。
【請求項３】ヒドロゲルからなるプラスチック成形品を用いる、請求項１または２に記載の表面処理プラスチック成形品の製造方法。
【請求項４】含水率が１５％以上であるヒドロゲルからなるプラスチック成形品を用いる、請求項３に記載の表面処理プラスチック成形品の製造方法。
【請求項５】ケイ素および／またはフッ素原子を含有するヒドロゲルからなるプラスチック成形品を用いる、請求項３または４に記載の表面処理プラスチック成形品の製造方法。
【請求項６】酸素透過係数が５０×１０−１１（ｃｍ２／ｓｅｃ）［ｍｌＯ２／（ｍｌ・ｈＰａ）］以上であるヒドロゲルからなるプラスチック成形品を用いる、請求項３〜５のいずれかに記載の表面処理プラスチック成形品の製造方法。
【請求項７】非含水高分子からなるプラスチック成形品を用いる、請求項１または２に記載の表面処理プラスチック成形品の製造方法。
【請求項８】水溶液ＡとしてｐＨ４以下の水溶液を用いる、請求項１または２記載の表面処理プラスチック成形品の製造方法。
【請求項９】重量平均分子量が２００以上の重合体Ａとしてカルボキシル官能性重合体を用いる、請求項１または２に記載の表面処理プラスチック成形品の製造方法。
【請求項１０】カルボキシル官能性重合体としてポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物を用いる、請求項９に記載の表面処理プラスチック成形品の製造方法。
【請求項１１】水溶液ＡとしてｐＨ８以上の水溶液を用いる、請求項１または２記載の表面処理プラスチック成形品の製造方法。
【請求項１２】重量平均分子量が２００以上の重合体Ａとしてポリエチレンイミンを用いる、請求項１または２に記載の表面処理プラスチック成形品の製造方法。
【請求項１３】重量平均分子量が２００以上の重合体Ｂとして非イオン性水溶性重合体を用いる、請求項２に記載の表面処理プラスチック成形品の製造方法。
【請求項１４】非イオン性水溶性重合体としてポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物を用いる、請求項１３に記載の表面処理プラスチック成形品の製造方法。
【請求項１５】プラスチック成形品、および、このプラスチック成形品の表面に形成された、そのプラスチック成形品を構成している重合体と重量平均分子量が２００以上である重合体Ａとで形成されたポリマーコンプレックスの薄層Ａを有している表面処理プラスチック成型品であって、前記重合体Ａがカルボキシル官能性重合体であることを特徴とする表面処理プラスチック成形品。
【請求項１６】表面にポリマーコンプレックスの薄層Ａを形成してなるプラスチック成形品のその薄層Ａの上に、その薄層Ａを構成している重合体Ａと重量平均分子量が２００以上の重合体Ｂとで形成されたポリマーコンプレックスの薄層Ｂを有している、請求項１５に記載の表面処理プラスチック成形品。
【請求項１７】プラスチック成形品がヒドロゲルからなっている、請求項１５または１６に記載の表面処理プラスチック成形品。
【請求項１８】ヒドロゲルが含水率１５％以上である、請求項１７に記載の表面処理プラスチック成形品。
【請求項１９】ヒドロゲルがケイ素および／またはフッ素原子を含有する、請求項１７または１８に記載の表面処理プラスチック成形品。
【請求項２０】ヒドロゲルが、５０×１０−１１（ｃｍ２／ｓｅｃ）［ｍｌＯ２／（ｍｌ・ｈＰａ）］以上の酸素透過係数を有する、請求項１７〜１９のいずれかに記載の表面処理プラスチック成形品。
【請求項２１】カルボキシル官能性重合体がポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物である、請求項１５〜２０のいずれかに記載の表面処理プラスチック成形品。
【請求項２２】１７２０ｃｍ−１バンド、１４０４〜１４４２ｃｍ−１バンドおよび１５５６ｃｍ−１バンドに赤外吸収スペクトルを有する、請求項１５または１６に記載の表面処理プラスチック成形品。
【請求項２３】重量平均分子量が２００以上である重合体Ｂが非イオン性水溶性重合体である、請求項１６に記載の表面処理プラスチック成形品。
【請求項２４】非イオン性水溶性重合体がポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物である、請求項２３に記載の表面処理プラスチック成形品。
【請求項２５】請求項１５〜２４のいずれかに記載の表面処理プラスチック成形品を有するコンタクトレンズ。
【請求項２６】ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成してなるコンタクトレンズ。
【請求項２７】ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成し、その薄層Ａの上に、ポリ（メタ）アクリル酸とポリアクリルアミドとで形成されたポリマーコンプレックスの薄層Ｂを形成してなるコンタクトレンズ。
【手続補正２】
【補正対象書類名】明細書
【補正対象項目名】０００６
【補正方法】変更
【補正の内容】
【０００６】
【課題を解決するための手段】上記課題を解決するた
め、本発明は以下の構成からなる。
（１）プラスチック成形品に重量平均分子量が２００以上である重合体Ａの水溶液Ａを接触させ、前記プラスチック成形品の表面にポリマーコンプレックスの薄層Ａを形成する表面処理プラスチック成形品の製造方法であって、前記水溶液ＡのｐＨが４以下または８以上であることを特徴とする、表面処理プラスチック成形品の製造方法。
（２）表面にポリマーコンプレックスの薄層Ａを形成してなるプラスチック成形品に、前記水溶液Ａとは異なる、重量平均分子量が２００以上である重合体Ｂの水溶液Ｂを接触させ、前記薄層Ａの表面にポリマーコンプレックスの薄層Ｂを形成する、（１）に記載の表面処理プラスチック成形品の製造方法。
（３）ヒドロゲルからなるプラスチック成形品を用いる、（１）または（２）に記載の表面処理プラスチック成形品の製造方法。
（４）含水率が１５％以上であるヒドロゲルからなるプラスチック成形品を用いる、（３）に記載の表面処理プラスチック成形品の製造方法。
（５）ケイ素および／またはフッ素原子を含有するヒドロゲルからなるプラスチック成形品を用いる、（３）または（４）に記載の表面処理プラスチック成形品の製造方法。
（６）酸素透過係数が５０×１０−１１（ｃｍ２／ｓｅｃ）［ｍｌＯ２／（ｍｌ・ｈＰａ）］以上であるヒドロゲルからなるプラスチック成形品を用いる、（３）〜（５）のいずれかに記載の表面処理プラスチック成形品の製造方法。
（７）非含水高分子からなるプラスチック成形品を用いる、（１）または（２）に記載の表面処理プラスチック成形品の製造方法。
（８）水溶液ＡとしてｐＨ４以下の水溶液を用いる、（１）または（２）記載の表面処理プラスチック成形品の製造方法。
（９）重量平均分子量が２００以上の重合体Ａとしてカルボキシル官能性重合体を用いる、（１）または（２）に記載の表面処理プラスチック成形品の製造方法。
（１０）カルボキシル官能性重合体としてポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物を用いる、（９）に記載の表面処理プラスチック成形品の製造方法。
（１１）水溶液ＡとしてｐＨ８以上の水溶液を用いる、（１）または（２）記載の表面処理プラスチック成形品の製造方法。
（１２）重量平均分子量が２００以上の重合体Ａとしてポリエチレンイミンを用いる、（１）または（２）に記載の表面処理プラスチック成形品の製造方法。
（１３）重量平均分子量が２００以上の重合体Ｂとして非イオン性水溶性重合体を用いる、（２）に記載の表面処理プラスチック成形品の製造方法。
（１４）非イオン性水溶性重合体としてポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物を用いる、（１３）に記載の表面処理プラスチック成形品の製造方法。
（１５）プラスチック成形品、および、このプラスチック成形品の表面に形成された、そのプラスチック成形品を構成している重合体と重量平均分子量が２００以上である重合体Ａとで形成されたポリマーコンプレックスの薄層Ａを有している表面処理プラスチック成型品であって、前記重合体Ａがカルボキシル官能性重合体であることを特徴とする表面処理プラスチック成形品。
（１６）表面にポリマーコンプレックスの薄層Ａを形成してなるプラスチック成形品のその薄層Ａの上に、その薄層Ａを構成している重合体Ａと重量平均分子量が２００以上の重合体Ｂとで形成されたポリマーコンプレックスの薄層Ｂを有している、（１５）に記載の表面処理プラスチック成形品。
（１７）プラスチック成形品がヒドロゲルからなっている、（１５）または（１６）に記載の表面処理プラスチック成形品。
（１８）ヒドロゲルが含水率１５％以上である、（１７）に記載の表面処理プラスチック成形品。
（１９）ヒドロゲルがケイ素および／またはフッ素原子を含有する、（１７）または（１８）に記載の表面処理プラスチック成形品。
（２０）ヒドロゲルが、５０×１０−１１（ｃｍ２／ｓｅｃ）［ｍｌＯ２／（ｍｌ・ｈＰａ）］以上の酸素透過係数を有する、（１７）〜（１９）のいずれかに記載の表面処理プラスチック成形品。
（２１）カルボキシル官能性重合体がポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物である、（１５）〜（２０）のいずれかに記載の表面処理プラスチック成形品。
（２２）１７２０ｃｍ−１バンド、１４０４〜１４４２ｃｍ−１バンドおよび１５５６ｃｍ−１バンドに赤外吸収スペクトルを有する、（１５）または（１６）に記載の表面処理プラスチック成形品。
（２３）重量平均分子量が２００以上である重合体Ｂが非イオン性水溶性重合体である、（１６）に記載の表面処理プラスチック成形品。
（２４）非イオン性水溶性重合体がポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物である、（２３）に記載の表面処理プラスチック成形品。
（２５）（１５）〜（２４）のいずれかに記載の表面処理プラスチック成形品を有するコンタクトレンズ。
（２６）ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成してなるコンタクトレンズ。
（２７）ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成し、その薄層Ａの上に、ポリ（メタ）アクリル酸とポリアクリルアミドとで形成されたポリマーコンプレックスの薄層Ｂを形成してなるコンタクトレンズ。